(57)【要約】【課題】ベルト及び電子機器を提供すること。【解決手段】所定の長さのベルト部１０と、当該ベルト部１０を固定する留め金部１１とから構成されるベルト１において、ベルト部１０は、長手方向に目盛りＭが形成されており、留め金部１１は、ベルト部１０に形成されている目盛りＭを計測する計測部１２と、ベルト部１０が固定された状態において、ベルト部１０の内側から外側に外力が加わったときに発生する張力を検出する張力検出部１３と、計測部１２で計測した計測値と、張力検出部１３で検出した張力値を外部に送信する送信部１４とを備える。【選択図】図１
2015188675.tif 000002
【特許請求の範囲】
【請求項１】
所定の長さのベルト部と、当該ベルト部を固定する留め金部とから構成されるベルトにおいて、
前記ベルト部は、長手方向に目盛りが形成されており、
前記留め金部は、
前記ベルト部に形成されている目盛りを計測する計測部と、
前記ベルト部が固定された状態において、前記ベルト部の内側から外側に外力が加わったときに発生する張力を検出する張力検出部と、
前記計測部で計測した計測値と、前記張力検出部で検出した張力値を外部に送信する送信部とを備えるベルト。
【請求項２】
姿勢を検出する姿勢検出部を備え、
前記送信部は、前記張力検出部で検出した張力値とともに、前記姿勢検出部で検出した姿勢情報を外部に送信する請求項１記載のベルト。
【請求項３】
請求項１記載の前記送信部から送信されてきた前記計測値と前記張力値を受信する受信部と、
前記計測値に基づいて、ユーザの腹囲の初期値を算出し、
前記張力値に基づいて、ユーザの腹囲の変動量を算出し、
前記初期値と前記変動量を合算して変化後の腹囲を算出する算出部を備える電子機器。
【請求項４】
所定の基準に基づいて、前記変化後の腹囲からメタボリック症候群か否かを判定する判定部を備える請求項３記載の電子機器。
【請求項５】
前記受信部は、前記送信部から送信されてきた前記張力値とともに、前記姿勢情報を受信し、
前記算出部は、前記姿勢情報に基づいて、略静止状態で立ち上がっている状態か否かを推定し、当該略静止状態で立ち上がっている状態と推定された場合のみ、当該姿勢情報とともに受信した張力値に基づいて、ユーザの腹囲の変動量を算出する請求項３記載の電子機器。
【発明の詳細な説明】
【技術分野】
【０００１】
本発明は、情報を収集して送信するベルトと、受信した情報を処理する電子機器に関する。
【背景技術】
【０００２】
健康診断等においては、お腹（へその高さ）に巻尺を水平に巻いて腹囲の測定を行っている。
また、日常生活において簡易的に腹囲を測定する方法が提案されている（例えば、特許文献１、２）。
【０００３】
特許文献１には、「ベルト本体の表面のバックル側に、測長目盛を読み取る位置を示す測長位置表示を設けてなり、ベルトを装着している状態で前記測長位置表示に重なった測長目盛を読み取ることでウェストサイズを測定できるようにした」（請求項２）という構成が開示されている。
【０００４】
特許文献２には、「自動巻取り機構を内蔵し、自動巻取り機構の操作部を備えた箱状のバックル部と、このバックル部により所定長さで巻出し巻取りと締結が行われるベルト部とよりなり、前記ベルト部をメジャーとして使用するための目盛り及びメタボリック症候群に該当する状態か否かの確認のための指標が貼付されている」（請求項１）という構成が開示されている。
【先行技術文献】
【特許文献】
【０００５】
【特許文献１】実用新案登録第３１３９３０１号
【特許文献２】実用新案登録第３１３９０２４号
【発明の概要】
【発明が解決しようとする課題】
【０００６】
ところで、特許文献１、２は、ベルトに目視可能な目盛りを取り付け、ユーザが目視によって目盛りを確認することで腹囲を把握する構成である。
このような構成では、例えば、ユーザが着衣を固定するために、ベルトをきつ目に締め上げたような場合には、正確な腹囲を測定することができなくなる。
本発明では、ベルトの締め具合にかかわらず、正確に腹囲を測定できるベルト及び電子機器を提供することを目的とする。
【課題を解決するための手段】
【０００７】
本発明に係るベルトは、上述の課題を解決するために、所定の長さのベルト部と、当該ベルト部を固定する留め金部とから構成されるベルトにおいて、前記ベルト部は、長手方向に目盛りが形成されており、前記留め金部は、前記ベルト部に形成されている目盛りを計測する計測部と、前記ベルト部が固定された状態において、前記ベルト部の内側から外側に外力が加わったときに発生する張力を検出する張力検出部と、前記計測部で計測した計測値と、前記張力検出部で検出した張力値を外部に送信する送信部とを備える構成である。
【０００８】
ベルトでは、姿勢を検出する姿勢検出部を備え、前記送信部は、前記張力検出部で検出した張力値とともに、前記姿勢検出部で検出した姿勢情報を外部に送信する構成でもよい。
【０００９】
本発明に係る電子機器は、上述の課題を解決するために、前記送信部から送信されてきた前記計測値と前記張力値を受信する受信部と、前記計測値に基づいて、ユーザの腹囲の初期値を算出し、前記張力値に基づいて、ユーザの腹囲の変動量を算出し、前記初期値と前記変動量を合算して変化後の腹囲を算出する算出部を備える構成である。
【００１０】
電子機器では、所定の基準に基づいて、前記変化後の腹囲からメタボリック症候群か否かを判定する判定部を備える構成でもよい。
【００１１】
電子機器では、前記受信部は、前記送信部から送信されてきた前記張力値とともに、前記姿勢情報を受信し、前記算出部は、前記姿勢情報に基づいて、略静止状態で立ち上がっている状態か否かを推定し、当該略静止状態で立ち上がっている状態と推定された場合のみ、当該姿勢情報とともに受信した張力値に基づいて、ユーザの腹囲の変動量を算出する構成でもよい。
【発明の効果】
【００１２】
本発明によれば、正確に腹囲を測定できる。
【図面の簡単な説明】
【００１３】
【図１】ベルトの構成を示す図である。
【図２】目盛りの構成を示す図である。
【図３】留め金部と電子機器の構成を示す図である。
【図４】ベルト部が留め金部に固定される前と後を示す図である。
【図５】ベルトと電子機器によってユーザの腹囲を算出する手順についての説明に供するフローチャートである。
【発明を実施するための形態】
【００１４】
本実施例に係るベルト１は、ユーザの腹部に巻いて使用するものであって、図１に示すように、所定の長さのベルト部１０と、当該ベルト部１０を固定する留め金部１１とから構成される。図１（ａ）は、ベルト１の表面側を示し、図１（ｂ）は、ベルト１の裏面側を示している。
【００１５】
また、留め金部１１にはプロングＰが備えられている。プロングＰの一方端部は、留め金部１１のバーＢに回転可能に装着されている。プロングＰの他方端部は、留め金部１１に形成されている受け部１１ａと当接するように構成されている。
【００１６】
ベルト部１０は、長手方向に目盛りＭが形成されている。図１（ａ）では、目盛りＭは、ベルト部１０の表面側に形成されている例を示したが、これに限られず、ベルト部１０の裏面側（お腹に当たる側）に形成されていてもよいし、ベルト部１０の内部に形成されていてもよい。
【００１７】
また、目盛りＭは、後述する計測部１２によって読み取り可能な形態で形成されている。例えば、計測部１２が磁気式センサで構成されている場合には、目盛りＭは、磁気式センサで読み取りが可能な材料（磁性体）がベルト部１０に塗布されることにより形成される。
【００１８】
また、計測部１２が光学式センサによって構成される場合には、目盛りＭは、光学式センサによって読み取りが可能なように、例えば、図２に示すように、１ミリごとに長さを示すバーコードにより形成される。なお、上述は一例であって、目盛りＭの構成は、これらに限られない。
【００１９】
留め金部１１は、ベルト部１０を固定するバックルであり、図１、３に示すように、計測部１２と、張力検出部１３と、送信部１４とを備える。なお、留め金部１１は、図示しないが、計測部１２と、張力検出部１３と、送信部１４とを駆動するためのバッテリーも備えている。
【００２０】
また、計測部１２、張力検出部１３及び送信部１４は、図４（ａ）に示すように、留め金部１１の裏面側に配置されている。計測部１２は、例えば、留め金部１１の受け部１１ａの裏面に配置される。張力検出部１３は、例えば、留め金部１１のバーＢに配置される。なお、上述は一例であって、計測部１２、張力検出部１３及び送信部１４の配置場所はこれに限られない。
【００２１】
計測部１２は、ベルト部１０に形成されている目盛りＭを計測する。本実施例においては、計測部１２は、磁気式センサにより構成されているものとして説明するが、これに限られず、光学式センサ等により構成されていてもよい。
【００２２】
計測部１２は、例えば、８つのＭＲ素子から構成される検出ヘッドを備えている。計測部１２は、ベルト部１０が留め金部１１のホール（図４（ａ）中のＡ）に通されるときに、目盛りＭを計測する。
【００２３】
目盛りＭは、絶対位置特定スケールになっており、例えば、互いに異なる８ビットの着磁（ビットパターン）の組合せが、直列に連続し、かつ隣り合う着磁において磁性が対向するように配置されている。計測部１２は、このビットパターンの組合せによる値を検出する。
【００２４】
計測部１２は、ベルト部１０が任意の場所まで移動すると、目盛りＭからその位置特有の値を検出する。計測部１２は、検出した値を計測値として送信部１４に送信する。
このようにして、計測部１２は、原点に復帰する必要のない、いわゆるアブソリュートタイプで構成されている。
【００２５】
張力検出部１３は、ベルト部１０が固定された状態において、ベルト部１０の内側から外側に外力が加わったときに発生する張力を検出する。張力検出部１３は、圧力センサで構成されるものとして説明するが、これに限られない。
【００２６】
張力検出部１３は、ベルト部１０の一方端部１０ａが留め金部１１のホール（図４（ａ）中のＡ）に通されて、プロングＰによって固定されたときに（図４（ｂ））、ベルト部１０の他方端部１０ｂに生じる張力（圧力）を検出する。張力検出部１３は、検出した張力値を送信部１４に送信する。
【００２７】
送信部１４は、計測部１２で計測した計測値と、張力検出部１３で検出した張力値を外部に送信する。
【００２８】
このようにして、ベルト１は、計測部１２で計測した計測値と、張力検出部１３で検出した張力値を外部（例えば、後述する電子機器２）に送信するので、ベルトの締め具合にかかわらず、正確な計測値と張力値を検出でき、電子機器２に正確な腹囲の算出を行わせることができる。
【００２９】
ベルト１は、図３に示すように、姿勢を検出する姿勢検出部１５を備える。姿勢検出部１５は、例えば、３軸加速度センサのみ、又は３軸加速度センサと３軸角速度センサの組み合わせにより構成されており、ベルト１を締めたユーザの姿勢を検出する。
【００３０】
送信部１４は、張力検出部１３で検出した張力値とともに、姿勢検出部１５で検出した姿勢情報を外部に送信する。
このような構成によれば、ベルト１は、張力検出部１３で検出した張力値とともに、姿勢検出部１５で検出した姿勢情報を外部（例えば、後述する電子機器２）に送信するので、電子機器２にユーザの姿勢に基づいた正確な腹囲の算出を行わせることができる。
【００３１】
電子機器２は、図３に示すように、受信部２０と、算出部２１とを備える。電子機器２は、携帯電話機、タブレット等のモバイル機器を想定するが、これに限られない。
受信部２０は、送信部１４から送信されてきた計測値と張力値を受信する。
算出部２１は、計測値に基づいて、ユーザの腹囲の初期値を算出する。具体的には、算出部２１は、所定のテーブルを参照し、受信した計測値のビットパターンから対応する長さを特定する。なお、算出部２１は、所定の演算式に計測値のビットパターンを代入することにより、長さを算出してもよい。
【００３２】
また、算出部２１は、張力値に基づいて、ユーザの腹囲の変動量を算出する。具体的には、算出部２１は、所定のテーブルを参照し、受信した張力値に対応する変動量を特定する。なお、算出部２１は、所定の演算式に張力値を代入することにより、変動量を算出してもよい。
【００３３】
算出部２１は、初期値と変動量を合算して変化後の腹囲を算出する。
このようにして、電子機器２は、ベルト１から送信されてきた情報に基づいて、ユーザの腹囲を正確に測定することができる。
【００３４】
電子機器２は、図３に示すように、所定の基準に基づいて、変化後の腹囲からメタボリック症候群か否かを判定する判定部２２を備える。
メタボリック症候群の診断基準によれば、男性で腹囲が８５ｃｍ以上、女性で腹囲が９０ｃｍ以上であればメタボリック症候群であると判断される。
【００３５】
よって、判定部２２は、予め行われたユーザの設定に基づいて、ユーザの性別を把握し、上述した基準に基づいて、変化後の腹囲からユーザがメタボリック症候群か否かを判定する。
電子機器２は、判定結果を表示部に表示する等して、ユーザに通知してもよい。
このようにして、電子機器２は、ベルト１から送信されてきた情報に基づいて、ユーザの腹囲を正確に測定し、ユーザがメタボリック症候群か否かを判定することができる。
【００３６】
受信部２０は、送信部１４から送信されてきた張力値とともに、姿勢情報を受信する。
算出部２１は、姿勢情報に基づいて、略静止状態で立ち上がっている状態か否かを推定し、当該略静止状態で立ち上がっている状態と推定された場合のみ、当該姿勢情報とともに受信した張力値に基づいて、ユーザの腹囲の変化量を算出する。
【００３７】
例えば、ユーザが椅子に腰かけている状態における腹囲は、立ち上がっている状態における腹囲に比べて大きくなる傾向があるため、姿勢によって腹囲が変動し、正確な腹囲を計測できない。腹囲の理想的な計測方法は、立った状態で軽く息を吐き、へその高さで計測することである。
【００３８】
電子機器２は、姿勢情報に基づいて、略静止状態で立ち上がっている状態でない場合に検出された張力値に基づいてユーザの腹囲の変動量の算出を行わない。
このようにして、電子機器２は、限りなく理想に近い姿勢において腹囲を計測するため、正確な腹囲を計測することができる。
【００３９】
ここで、ベルト１と電子機器２によってユーザの腹囲を算出する手順について、図５に示すフローチャートを参照しながら説明する。
ステップＳＴ１において、ベルト１は、ユーザの体に装着される。
ステップＳＴ２において、ベルト１は、計測部１２によって計測された計測値と、張力検出部１３によって検出された張力値を送信部１４から電子機器２に送信する。
具体的には、ベルト１は、ベルト部１０が留め金部１１に固定されたときに、すなわちベルト部１０の動きが止まったときに、計測部１２によって読み取られた目盛りＭの値（計測値）と、張力検出部１３によって検出された張力値を送信部１４に送る。送信部１４は、受信した計測値と張力値を電子機器２に送信する。
【００４０】
電子機器２は、受信した計測値に基づいてユーザの腹囲の長さ（例えば、７５．３ｃｍ）を算出する。さらに、電子機器２は、張力値に基づいて、計測値から算出した値を補正し、補正後の値を初期値とする。なお、電子機器２は、張力値が略ゼロの場合、すなわち、ユーザによってベルト１がきつく締めつけられていない状態の場合には、計測値から算出した値（例えば、７５．３ｃｍ）を初期値とする。
【００４１】
ステップＳＴ３において、ベルト１は、計測部１２によって所定時間内（例えば、１０秒間）に所定間隔（例えば、１秒毎）で張力値を測定し、測定した張力値を送信部１４から電子機器２に送信する。電子機器２は、例えば、送信されてきた複数の張力値から異常値を除外して、平均値を算出する。
ユーザの腹囲は、突然増えたり、突然減ったりしないことを前提とすれば、ひとつ前の値に比して、突然増加した値や突然減少した値が異常値となる。電子機器２は、このような異常値を除外して、複数の張力値の平均値を算出する。
【００４２】
ステップＳＴ４において、電子機器２は、ステップＳＴ３の工程で算出した複数の張力値の平均値に基づいて、ユーザの腹囲の変化量（例えば、＋１．８ｃｍ）を算出する。
具体的には、電子機器２は、所定のテーブルを参照し、複数の張力値の平均値から対応する変化量を特定する。なお、電子機器２は、所定の演算式に複数の張力値の平均値を代入することにより、変化量を算出してもよい。
【００４３】
ステップＳＴ５において、電子機器２は、ステップＳＴ２で算出した初期値（例えば、７５．３ｃｍ）にステップＳＴ４で算出した変化量（例えば、＋１．８ｃｍ）を加えて、ユーザの腹囲（例えば、７７．１ｃｍ）を算出する。
【００４４】
このようにして、ベルト１は、計測部１２で計測した計測値と、張力検出部１３で検出した張力値を電子機器２に送信するので、ベルトの締め具合にかかわらず、正確な計測値と張力値を検出できる。
また、電子機器２は、ベルト１から送信されてきた情報に基づいて、ユーザの腹囲及びその変化を正確に測定することができる。
【００４５】
また、本実施例では、主にベルトの締め具合にかかわらず、正確に腹囲を測定できるベルト及び電子機器の構成と動作について説明したが、これに限られず、各構成要素を備え、ベルトの締め具合にかかわらず、正確に腹囲を測定するための方法、及びプログラムとして構成されてもよい。
【００４６】
さらに、ベルト及び電子機器の機能を実現するためのプログラムをコンピュータで読み取り可能な記録媒体に記録して、この記録媒体に記録されたプログラムをコンピュータシステムに読み込ませ、実行することによって実現してもよい。
【００４７】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４８】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００４９】
１  ベルト
２  電子機器
１０  ベルト部
１１  留め金部
１２  計測部
１３  張力検出部
１４  送信部
２０  受信部
２１  算出部
２２  判定部
Ｍ  目盛り
【図１】
2015188675.tif 000003
【図２】
2015188675.tif 000004
【図３】
2015188675.tif 000005
【図４】
2015188675.tif 000006
【図５】
2015188675.tif 000007